(57)【特許請求の範囲】
【請求項１】
文字または画像がページ単位に記録された文書情報を送信する送信装置と、この送信装置から送信された文書情報を受信して表示する受信装置とからなる文書情報伝送システムであって、
前記送信装置は、複数ページからなる文書情報の各ページを複数のブロックに分割し、当該文書情報を前記ブロック単位で繰り返し送信する送信手段を備え、
前記受信装置は、
前記送信装置の送信手段により送信される前記複数ページからなる文書情報のうち、少なくとも１ページ分の文書情報を指定する指定手段と、
前記送信装置の送信手段により送信される前記複数ページからなる文書情報のうち、前記指定手段により指定した少なくとも１ページ分の文書情報を受信する受信手段と、
前記少なくとも１ページ分の文書情報を同時に表示可能な表示領域を有する表示部と、
前記受信手段により受信した文書情報を前記表示部に表示する表示手段と
を備えてなる文書情報伝送システム。
【請求項２】
前記送信装置の送信手段は、１ブロック送信する毎に、前回送信したブロックが属するページと異なるページに属するブロックを送信するように、各ブロックの送信順序を制御するものである請求項１に記載の文書情報伝送システム。
【請求項３】
前記受信装置は、
前記受信手段により受信した前記少なくとも１ページ分の文書情報中に、正常に受信できなかったブロックがあるか否かを判定する受信判定手段と、
前記受信判定手段による判定の結果、前記少なくとも１ページ分の文書情報中に正常に受信できなかったブロックがあるときには、前記送信装置の送信手段により繰り返し送信されている前記複数ページからなる文書情報のうち、前記受信装置の指定手段により指定した前記少なくとも１ページ分の文書情報を再度受信する再受信手段と
を備えてなる請求項１または２に記載の文書情報伝送システム。
【請求項４】
文字または画像がページ単位に記録された文書情報を送信する送信装置と、この送信装置から送信された文書情報を受信して表示する受信装置とからなる文書情報伝送システムであって、
前記送信装置は、少なくとも１ページ分の文書情報を複数のブロックに分割し、当該文書情報を前記ブロック単位で繰り返し送信する送信手段を備え、
前記受信装置は、
前記送信装置の送信手段により送信された文書情報を受信する受信手段と、
前記少なくとも１ページ分の文書情報を同時に表示可能な表示領域を有する表示部と、
前記受信手段により受信した前記少なくとも１ページ分の文書情報を前記表示部に表示する表示手段と
を備えてなる文書情報伝送システム。
【請求項５】
前記受信装置は、
前記受信手段により受信した前記少なくとも１ページ分の文書情報中に、正常に受信できなかったブロックがあるか否かを判定する受信判定手段と、
前記受信判定手段による判定の結果、前記少なくとも１ページ分の文書情報中に正常に受信できなかったブロックがあるときには、前記送信装置の送信手段により繰り返し送信されている前記少なくとも１ページ分の文書情報を再度受信する再受信手段と
を備えてなる請求項４に記載の文書情報伝送システム。
【請求項６】
前記送信装置の送信手段は、前記文書情報が文字列によって構成されているときには、前記１ブロックを構成する文字数が、前記ページの１行分の文字数よりも少ない数となるように、前記文書情報を分割するものである請求項１乃至請求項５のいずれか一項に記載の文書情報伝送システム。
【請求項７】
前記送信装置の送信手段は、前記文書情報がビットマップデータによって構成されているときには、前記１ブロックを構成するビットマップデータのビット数が、前記ページの１ラインを構成するビットマップデータのビット数の整数倍となるように、前記文書情報を分割するものである請求項１乃至請求項５のいずれか一項に記載の文書情報伝送システム。
【請求項８】
前記受信装置は、前記少なくとも１ページ分の文書情報を記憶するのに必要な最小限の記憶容量を有する記憶手段を備え、前記表示手段は、前記受信手段により受信した文書情報を前記記憶手段に記憶し、この記憶した文書情報を表示部に表示するものである請求項１乃至請求項７のいずれか一項に記載の文書情報伝送システム。
【請求項９】
前記受信装置は、
前記受信手段により前記文書情報を受信した後に、前記受信手段への電源供給を停止する電源供給停止手段と、
前記電源供給停止手段により前記受信手段への電源供給を停止してから所定時間毎に、前記受信手段への電源供給を行う電源供給再開手段と、
前記電源供給再開手段により前記受信手段への電源供給が行われている間に、送信装置から送信される前記文書情報を受信し、この受信した文書情報が前回受信した文書情報と異なるときには、この受信した文書情報を前記表示部に表示する表示更新手段と
を備えてなる請求項１乃至請求項８のいずれか一項に記載の文書情報伝送システム。
【請求項１０】
文字または画像が記録された複数ページからなる文書情報を送信する文書情報送信装置であって、
前記複数ページからなる文書情報の各ページを複数のブロックに分割し、当該文書情報を前記ブロック単位で送信し、かつ、１ブロック送信する毎に、前回送信したブロックが属するページと異なるページに属するブロックを送信するように、各ブロックの送信順序を制御するものである文書情報送信装置。
【請求項１１】
前記文書情報が文字列によって構成されているときには、前記１ブロックを構成する文字数が、前記ページの１行分の文字数よりも少ない数となるように、前記文書情報を分割するものである請求項１０に記載の文書情報送信装置。
【請求項１２】
前記文書情報がビットマップデータによって構成されているときには、前記１ブロックを構成するビットマップデータのビット数が、前記ページの１行を構成するビットマップデータのビット数の整数倍となるように、前記文書情報を分割するものである請求項１０に記載の文書情報送信装置。
【発明の詳細な説明】
【０００１】
【発明の属する技術分野】
本発明は、例えば、パーソナルコンピュータ等により作成される文字または画像からなる文書情報を送信する送信装置と、この送信装置から送信された文書情報を受信し、表示部に表示する受信装置とを備えた文書情報伝送システムに関する。また、本発明は、前記文書情報を送信する文書情報送信装置に関する。
【０００２】
【従来の技術】
文字または画像からなる文書情報を他人に伝達するには、文字または画像を用紙に記録し、この用紙を他人に配布するといった方法が一般的である。例えば、会議を行う場合、担当者は、パーソナルコンピュータ等を用いて、会議の内容に関する文章やグラフを記述した文書を作成し、この文書を用紙に印刷し、この用紙を会議資料として会議の参加者に配布する。これにより、担当者は、会議の内容を会議の参加者に伝達することができる。
【０００３】
【発明が解決しようとする課題】
しかしながら、上述したように、用紙を介して文書情報を伝達する方法では、パーソナルコンピュータ等で作成した文書を用紙に印刷しなければならないため、手間がかかり煩雑であるという問題がある。例えば、会議の参加者が多数の場合、担当者は、多数の会議資料を複製しなければならない。このため、会議資料の印刷、編集または仕分けに費やさなければならない手間、時間および労力が大きいという問題がある。
【０００４】
一方、最近では、ＬＡＮ（Local Area Network）等の伝送手段を用いることによって、前記文書情報を、コンピュータ間で相互に伝送する方法が知られている。例えば、会議を行う場合、担当者は、パーソナルコンピュータ等を用いて会議資料を作成し、この会議資料を当該パーソナルコンピュータから会議の参加者が使用しているパーソナルコンピュータにＬＡＮを介して伝送することができる。このような方法を採用すれば、文書を用紙に印刷する手間を省くことができる。
【０００５】
しかしながら、ＬＡＮを構築するには、ワークステーションまたはパーソナルコンピュータといった比較的複雑の機構を有し、電力消費量が大きく、しかも高価格のコンピュータを多数設置しなければならない。この結果、電力消費量の増大、設備資金の増大等を招くという問題がある。
【０００６】
また、会議の参加者は、会議の際に、パーソナルコンピュータを持参する必要が生じるが、ノートブック型以外のパーソナルコンピュータを会議の都度移動させることは実質不可能である。このため、参加者自身が会議資料を印刷して持参する必要があり、参加者の手間、時間、労力が大きくなるという問題が残る。
【０００７】
本発明は上述した問題に鑑みなされたもので、文字または画像からなる文書情報を用紙に印刷する等の手間をなくすことができると共に、文書情報の伝送を容易かつ安価に実現することができる文書情報伝送システムおよび文書情報送信装置を提供することを目的としている。
【０００８】
【課題を解決するための手段】
上述した課題を解決するために、請求項１の発明は、文字または画像がページ単位に記録された文書情報を送信する送信装置と、この送信装置から送信された文書情報を受信して表示する受信装置とからなる文書情報伝送システムであって、前記送信装置は、複数ページからなる文書情報の各ページを複数のブロックに分割し、当該文書情報を前記ブロック単位で繰り返し送信する送信手段を備え、前記受信装置は、送信装置の送信手段により送信される複数ページからなる文書情報のうち、少なくとも１ページ分の文書情報を指定する指定手段と、前記送信装置の送信手段により送信される複数ページからなる文書情報のうち、前記指定手段により指定した少なくとも１ページ分の文書情報を受信する受信手段と、前記少なくとも１ページ分の文書情報を同時に表示可能な表示領域を有する表示部と、前記受信手段により受信した文書情報を前記表示部に表示する表示手段とを備えている。
【０００９】
上記構成より、受信装置は、送信装置により送信された複数ページからなる文書情報のうち、当該受信装置の指定手段により指定した少なくとも１ページ分の文書情報を受信し、表示部に表示する。受信装置の表示部は、少なくとも１ページ分の文書情報を同時に表示可能な表示領域を有しており、この表示領域に、受信した少なくとも１ページ分の文書情報を一度に（同時に）表示する。
【００１０】
また、送信装置の送信手段は、複数のページからなる文書情報を繰り返し送信するため、受信装置は、この文書情報を何度も受信することができる。これにより、受信装置は、送受信中にエラーが生じ、送信装置から送信された文書情報を正常に受信できなかったときでも、送信装置から繰り返し送信されている文書情報を再度受信し、１ページ分の文書情報を完全に受け取り、表示することができる。
【００１１】
【００１２】
また、送受信中に生じるエラー等をブロック単位で訂正することができ、文書情報の伝送を効率よく、かつ、正確に行うことができる。
【００１３】
請求項２の発明は、前記送信装置の送信手段によって、文書情報をブロック単位で送信するときに、1ブロック送信する毎に、前回送信したブロックが属するページと異なるページに属するブロックを送信するように、各ブロックの送信順序を制御するものである。
【００１４】
例えば、文書情報が３ページ構成の場合には、まず、第１ページ目に属する１ブロックを送信し、次に、第２ページ目に属する１ブロックを送信し、次に、第３ページ目に属する１ブロックを送信する。このように、前回送信したブロックが属するページと異なるページに属するブロックを送信するように、各ブロックの送信順序を制御すれば、複数ページからなる文書情報の各ページを均等に送信でき、各ページに記録された文字または画像を実質的に同時に送信することができる。
【００１５】
請求項３の発明は、前記受信装置において、前記受信手段により受信した少なくとも１ページ分の文書情報中に、正常に受信できなかったブロックがあるか否かを判定する受信判定手段と、前記受信判定手段による判定の結果、少なくとも１ページ分の文書情報中に正常に受信できなかったブロックがあるときには、前記送信装置の送信手段により繰り返し送信されている複数ページからなる文書情報のうち、前記受信装置の指定手段により指定した少なくとも１ページ分の文書情報を再度受信する再受信手段とを備えたことにある。
【００１６】
これにより、前回受信した１ページ分の文書情報と同一の文書情報を再度受信することができ、前回正常に受信できなかったブロックを再度受信することができる。従って、文書情報の送受信中にエラーが生じた場合でも、このエラーを容易に解消することができ、１ページ分の文書情報を完全に取得することができる。
【００１７】
請求項４の発明は、文字または画像がページ単位に記録された文書情報を送信する送信装置と、この送信装置から送信された文書情報を受信して表示する受信装置とからなる文書情報伝送システムであって、前記送信装置は、少なくとも１ページ分の文書情報を複数のブロックに分割し、当該文書情報を前記ブロック単位で繰り返し送信する送信手段を備え、前記受信装置は、前記送信装置の送信手段により送信された文書情報を受信する受信手段と、少なくとも１ページ分の文書情報を同時に表示可能な表示領域を有する表示部と、前記受信手段により受信した少なくとも１ページ分の文書情報を前記表示部に表示する表示手段とを備えている。
【００１８】
上記構成より、受信装置は、送信装置により送信された少なくとも１ページ分の文書情報を受信し、表示部に表示する。受信装置の表示部は、少なくとも１ページ分の文書情報を同時に表示可能な表示領域を有しており、この表示領域に、受信した少なくとも１ページ分の文書情報を一度に（同時に）表示する。
【００１９】
また、送信装置の送信手段は、少なくとも１ページ分の文書情報を繰り返し送信するため、受信装置は、この文書情報を何度も受信することができる。これにより、受信装置は、受信中にエラーが生じ、送信装置から送信された文書情報を正常に受信できなかったときでも、送信装置から繰り返し送信されている文書情報を再度受信し、１ページ分の文書情報を完全に取得し、表示することができる。
【００２０】
【００２１】
また、送受信中に生じるエラー等をブロック単位で訂正することができ、文書情報の伝送を効率よく、かつ、正確に行うことができる。
【００２２】
請求項５の発明は、前記受信装置において、前記受信手段により受信した少なくとも１ページ分の文書情報中に、正常に受信できなかったブロックがあるか否かを判定する受信判定手段と、前記受信判定手段による判定の結果、少なくとも１ページ分の文書情報中に正常に受信できなかったブロックがあるときには、前記送信装置の送信手段により繰り返し送信されている少なくとも１ページ分の文書情報を再度受信する再受信手段とを備えたことにある。
【００２３】
これにより、前回受信した１ページ分の文書情報と同一の文書情報を再度受信することができ、前回正常に受信できなかったブロックを再度受信することができる。従って、文書情報の送受信中にエラーが生じた場合でも、このエラーを容易に解消することができ、１ページ分の文書情報を完全に取得することができる。
【００２４】
請求項６の発明は、前記送信装置の送信手段によって、文書情報が文字列によって構成されているときには、前記１ブロックを構成する文字数が、ページの１行分の文字数よりも少ない数となるように、文書情報を分割するものである。
【００２５】
これにより、送信装置は、ページ１行分の文字数よりも少ない数の文字列により構成されたブロック毎に文書情報を送信し、受信装置は、その文書情報をブロック単位で受信する。このとき、送受信中にエラーが生じ、受信装置が１ブロック分の文書情報を正常に受信できず、この１ブロック分の文書情報が表示部に表示されていない場合でも、１ブロックを構成する文字数がページの１行分の文字数よりも少ない数であるため、表示部に表示されていない文字は僅かである。従って、送受信中のエラーが、受信装置の表示部に表示された文書情報の内容に与える影響を抑えることができる。
【００２６】
請求項７の発明は、前記送信装置の送信手段によって、文書情報がビットマップデータによって構成されているときには、前記１ブロックを構成するビットマップデータのビット数が、ページの１ラインを構成するビットマップデータのビット数の整数倍となるように、前記文書情報を分割するものである。
【００２７】
これにより、送受信中にエラーが生じ、受信装置が１ブロック分の文書情報を正常に受信できず、この１ブロック分の文書情報が表示されていない場合でも、受信装置の表示部に細長い筋状空白や線が形成される程度である。従って、送受信中のエラーが、受信装置に表示された文書情報に与える影響を少なくすることができる。
【００２８】
請求項８の発明は、前記受信装置において、少なくとも１ページ分の文書情報を記憶するのに必要な最小限の記憶容量を有する記憶手段を備え、前記表示手段は、前記受信手段により受信した文書情報を前記記憶手段に記憶し、この記憶した文書情報を表示部に表示するようにしたものである。
【００２９】
これにより、受信装置は、１ページ分の文書情報を一度に表示部に表示でき、かつ、このような表示機能を必要最低限の構成で実現することができる。
【００３０】
請求項９の発明は、前記受信装置において、前記受信手段により文書情報を受信した後に、前記受信手段への電源供給を停止する電源供給停止手段と、前記電源供給停止手段により前記受信手段への電源供給を停止してから所定時間毎に、前記受信手段への電源供給を行う電源供給再開手段と、前記電源供給再開手段により前記受信手段への電源供給が行われている間に、送信装置から送信される文書情報を受信し、この受信した文書情報が前回受信した文書情報と異なるときには、この受信した文書情報を前記表示部に表示する表示更新手段とを備えたことにある。
【００３１】
これにより、一度文書情報を正常に受信した後に、電源供給停止手段が受信手段への電源供給を停止するので、受信装置の消費電力を減少させることができる。また、電源供給再開手段が定期的に受信手段への電源供給を行い、文書情報が更新されたときには、表示更新手段が、その更新された文書情報を表示するので、常に最新の文書情報を取得することができる。
【００３２】
請求項１０の発明は、文書情報送信装置において、文字または画像が記録された複数のページからなる文書情報を送信する文書情報送信装置であって、前記複数のページからなる文書情報の各ページを複数のブロックに分割し、当該文書情報を前記ブロック単位で送信し、かつ、１ブロック送信する毎に、前回送信したブロックが属するページと異なるページに属するブロックを送信するように、各ブロックの送信順序を制御する構成としたことにある。
【００３３】
これにより、送受信中に生じるエラー等をブロック単位で訂正することができ、文書情報の伝送を効率よく、かつ、正確に行うことができると共に、複数ページからなる文書情報の各ページを均等に送信でき、各ページに記録された文字または画像を実質的に同時に送信することができる。
【００３４】
請求項１１の発明は、文書情報送信装置において、文書情報が文字列によって構成されているときには、前記１ブロックを構成する文字数が、前記ページの１行分の文字数よりも少ない数となるように、前記文書情報を分割するものである。
【００３５】
これにより、送信装置は、ページ１行分の文字数よりも少ない数の文字列により構成されたブロック毎に文書情報を、受信装置に向けて送信する。このとき、送受信中にエラーが生じ、受信装置が１ブロック分の文書情報を正常に受信できず、この１ブロック分の文書情報が表示されていない場合でも、１ブロックを構成する文字数がページの１行分の文字数よりも少ない数であるため、表示されていない文字は僅かである。従って、送受信中のエラーが、受信装置に表示された文書情報に与える影響を抑えることができる。
【００３６】
請求項１２の発明は、文書情報送信装置において、文書情報がビットマップデータによって構成されているときには、前記１ブロックを構成するビットマップデータのビット数が、前記ページの１行を構成するビットマップデータのビット数の整数倍となるように、前記文書情報を分割するものである。
【００３７】
これにより、送信装置は、ビットマップデータのビット数が、ページの１ラインを構成するビットマップデータのビット数の整数倍となるように構成されたブロック毎に文書情報を、受信装置に向けて送信する。このとき、送受信中にエラーが生じ、受信装置が１ブロック分の文書情報を正常に受信できず、この１ブロック分の文書情報が表示されていない場合でも、受信装置の表示部に細長い筋状空白や線が形成される程度である。従って、送受信中のエラーが、受信装置に表示された文書情報に与える影響を抑えることができる。
【００３８】
【発明の実施の形態】
以下、本発明の実施の形態を図１ないし図１７に従って説明する。なお、本実施形態では、本発明による文書情報伝送システムおよび文書情報送信装置として、ビューアシステムおよびそれに用いられる送信装置を例に挙げて説明する。
【００３９】
（１）ビューアシステムの構成
図１に示すように、文書情報伝送システムとしてのビューアシステム１００は、周波数ホッピング方式を用いて、文字または画像からなる文書情報を送信する送信装置２００と、送信装置２００から送信された文書情報を受信し、受信した文書情報の表示、再生等を行う受信装置としてのビューア３００とを備えている。
【００４０】
ここで、送信装置２００の構成について説明する。送信装置２００は、図２に示すように、文書情報を生成するパーソナルコンピュータ２１０と、パーソナルコンピュータ２１０に接続され、パーソナルコンピュータ２１０により生成された文書情報を後述する伝送データＤ（図７参照）に変換し、この伝送データＤについて変調、拡散および増幅等を行い、拡散信号を生成する送信ユニット２２０と、送信ユニット２２０に設けられ、前記拡散信号を送信する送信アンテナ２３０とを備えている。
【００４１】
さらに、送信ユニット２２０は、図２に示すように、送信制御部２４０と送信部２５０とを備えている。送信制御部２４０は、パーソナルコンピュータ２１０により生成された文書情報を図７に示すようなデータフォーマットを有する伝送データＤに変換し、この伝送データＤを送信部２５０に出力するものである。なお、伝送データＤの構成については後述する。
【００４２】
ここで、送信制御部２４０には、送信装置２００を制御するための種々のプログラムを記憶した記憶回路（図示せず）が設けられている。そして、この記憶回路には、文書情報送信処理を行うための送信プログラムが記憶されており、送信制御部２４０は、この送信プログラムに基づいて文書情報送信処理を行う。なお、文書情報送信処理については後述する。また、送信制御部２４０は、伝送データＤに対してエラー検出および訂正処理を行う機能をも備えている。さらに、送信制御部２４０には、図３に示すように、拡散符号に対応する周波数データが記録されたホッピングテーブル２４１が設けられており、ホッピングテーブル２４１はＰＬＬ回路２５４に接続されている。
【００４３】
一方、送信部２５０は、図３に示すように、変調器２５１、アップコンバータ２５２、電力増幅器２５３およびＰＬＬ（Phase Locked Loop）回路２５４を備えている。そして、変調器２５１は、送信制御部２４０から出力された伝送データＤを受け取り、この伝送データＤを変調し、変調信号を生成する。さらに、アップコンバータ２５２およびＰＬＬ回路２５４は、送信制御部２４０に設けられたホッピングテーブル２４１を用いて、前記変調信号を周波数ホッピング方式により拡散し、拡散信号を生成する。さらに詳しく説明すると、ホッピングテーブル２４１には、図４に示すように、所定の拡散符号に対応する周波数データ（f0, f1, f2, …）が記録されている。ここで、前記拡散符号は、周波数ホッピング方式を用いて拡散を行うのに好適なホッピングパターンを形成することができる符号であり、例えば、ＰＮ符号（疑似雑音符号）等、より具体的にはＭ系列符号等である。これらの拡散符号に基づいて周波数データがランダムに配置される。また、周波数データは、ＰＬＬの発振周波数を指定するデータであり、ＰＬＬ回路２５４に直接的に入力することができ、ＰＬＬ回路２５４の発振周波数に１：１に対応している。
【００４４】
さて、ホッピングテーブル２４１に記録された周波数データは、ＰＬＬ回路２５４に入力される。これにより、周波数データに対応して周波数が変化する信号が、ＰＬＬ回路２５４からアップコンバータ２５２に向けて出力される。そして、アップコンバータ２５２は、ＰＬＬ回路２５４から出力される信号に基づいて、変調器２５１から出力される変調信号の搬送波周波数を変化（ホッピング）させ、拡散信号を生成する。さらに、電力増幅器２５３は、アップコンバータ２５２から出力された拡散信号を増幅して送信アンテナ２３０に出力する。
【００４５】
次に、ビューア３００の構成について説明する。ビューア３００は、図５に示すように、送信装置２００から送信された拡散信号を受信する受信手段としての受信アンテナ３１０と、受信した拡散信号について逆拡散および復調を行い、元の伝送データＤを復元する受信部３２０と、当該伝送データＤについてエラー訂正等を施すと共に、伝送データＤから文書情報を抽出する受信制御部３３０と、受信制御部３３０により抽出された文書情報を記憶する記憶回路３４１を有すると共に、表示切換等の制御を行う表示制御部３４０と、液晶パネル等から構成され、文書情報を表示する表示部３５０と、表示制御部３４０に向けて表示切換指令やページ指定等を入力するための入力部３６０とを備えている。
【００４６】
さらに、受信部３２０は、図６に示すように、低雑音増幅器３２１、ダウンコンバータ３２２、復調器３２３、ＰＬＬ回路３２４とを備えている。そして、低雑音増幅器３２１は、受信アンテナ３１０により受信された拡散信号を増幅する。そして、ダウンコンバータ３２２およびＰＬＬ回路３２４は、受信制御部３３０に設けられたホッピングテーブル３３１を用いて、低雑音増幅器３２１により増幅された拡散信号を逆拡散して逆拡散信号を生成する。さらに詳しく説明すると、ホッピングテーブル３３１には、送信装置２００に設けられたホッピングテーブル２４１に記録された周波数データと同一の周波数データが記録されている。そして、ホッピングテーブル３３１に記録された周波数データは、ＰＬＬ回路３２４に入力される。これにより、周波数データに対応して周波数が変化する信号が、ＰＬＬ回路３２４からダウンコンバータ３２２に向けて出力される。そして、ダウンコンバータ３２２は、ＰＬＬ回路３２４から出力される信号に基づいて、低雑音増幅器３２１から出力された拡散信号を逆拡散し、逆拡散信号を生成する。さらに、復調器３２３は、逆拡散信号を復調し、伝送データＤを復元する。
【００４７】
また、受信制御部３３０は、受信部３２０から出力された伝送データＤについてエラー訂正等を施した後、この伝送データＤから文書情報を抽出し、その文書情報を表示制御部３４０の記憶回路３４１に記憶する。ここで、受信制御部３３０には、ビューア３００を制御するための種々のプログラムが記憶された記憶回路（図示せず）が設けられている。そして、この記憶回路には、文書情報受信処理を行うための受信プログラムが記憶されており、受信制御部３３０が文書情報を表示制御部３４０の記憶回路３４１に記憶するときには、この受信プログラムに基づき文書情報受信処理を行う。なお、文書情報受信処理については後述する。さらに、受信制御部３３０は、送信装置２００から送信された拡散信号に対して同期捕捉を行う機能をも有している。
【００４８】
表示制御部３４０は、図５に示すように、受信制御部３３０により抽出された文書情報を記憶する記憶回路３４１を有する。この記憶回路３４１は、書き換え可能な記憶素子により構成されており、表示部３５０に文書情報を表示するための、いわゆるＶＲＡＭ（Video RAM）である。即ち、この記憶回路３４１に書き込まれた文書情報が、そのまま表示部３５０に表示される。また、この記憶回路３４１は、表示部３５０の表示領域３５１に一度に（同時に）表示することができる文書情報を記録するのに最低限必要な記憶容量を備えた比較的小容量の記憶回路である。このように、記憶回路３４１の記憶容量を、表示部３５０の1画面分の文書情報を記憶するのに必要な最低限の容量とすることにより、記憶回路３４１を安価にすることができる。
【００４９】
表示部３５０は、図１に示すように、文書情報を通常の縮尺で１ページ分一度に（同時に）表示できる大きさの表示領域を有している。例えば、表示部３５０はＡ４サイズの用紙とほぼ同様の面積を有している。
【００５０】
入力部３６０は、図1に示すように、ビューアボディ３０１に配設された複数のスイッチを有している。受信者がこれらスイッチを操作すると、スイッチに対応した信号が表示制御部３４０に入力される。そして、表示制御部３４０により、表示部３５０の表示切換等の制御が行われる。
【００５１】
（２）文書情報および伝送データの構成
次に、送信装置２００によって生成される文書情報および伝送データＤについて図７、図１２、図１３および図１５に従って説明する。
【００５２】
図１２は、例えば、3ページからなる文書情報Ｎ１，Ｎ２，Ｎ３を示している。このように、文書情報Ｎ１，Ｎ２，Ｎ３は、文字または画像をページ単位に記録した情報であり、例えば、パーソナルコンピュータ２１０のワードプロセッサプログラムまたは図形作成プログラム等により生成される。ここで、「ページ」とは、文書情報を適当な量単位で区切った場合の、その１区切りを意味し、例えば、文書情報をＡ４サイズの用紙に印刷した場合、その用紙の面積によって区切られる１区切りを意味する。
【００５３】
また、文書情報は、パーソナルコンピュータ２１０によって生成されたデータであり、以下に述べるように、文書情報に含まれる情報が文字か画像かによってデータ形式が異なる。即ち、文字のみからなる文書情報の場合には、その文書情報は、アスキー・コード（情報交換用米国標準コード）、ＪＩＳコードまたはＥＢＣＤＩＣコード（拡張２進化１０進コード）等からなるテキストデータ（キャラクタデータ）により構成される。一方、画像が含まれる文書情報の場合には、ビットマップデータにより構成される。
【００５４】
また、文書情報を送信装置２００からビューア３００に向けて送信するとき、文書情報は、図１３および図１５に示すように、１ページ毎に複数のブロックａに分割され、ブロック単位で送信される。ここで、文書情報がテキストデータの場合には、図１３に示すように、１ブロックａを構成する文字数が、文書情報の各ページの１行分の文字数よりも少ない数となるように分割される。また、文書情報がグラフィックデータ（ビットマップデータ）の場合には、図１５に示すように、１ブロックを構成するビットマップデータのビット数が、前記ページの１ライン（線素）を構成するビットマップデータのビット数の整数倍となるように分割される。なお、文書情報を１ブロックを構成するビットマップデータのビット数が、前記ページの１ライン（線素）を構成するビットマップデータのビット数以下となるように分割してもよい。
【００５５】
さらに、文書情報を送信装置２００からビューア３００に向けて送信するとき、文書情報を構成する各ブロックａは、図７に示すように、複数のフレームＦおよびホッピングスロットＨを有する伝送データＤに変換される。そして、伝送データＤ中の各フレームＦは、ヘッダＳ１および文書データエリアＳ２からなる。
【００５６】
ここで、ホッピングスロットＨは、伝送データＤを各フレームＦ毎に周波数ホッピング方式により拡散するときに、周波数移行時間を確保するための領域である。即ち、文書情報は、伝送データＤに変換された後、変調器２５１によって変調され、アップコンバータ２５２およびＰＬＬ回路２５４等により、周波数ホッピング方式を用いて拡散される。このとき、アップコンバータ２５２およびＰＬＬ回路２５４等は、伝送データＤの各フレームＦ毎に周波数をホッピングすることによって拡散を行う。これにより、アップコンバータ２５２またはＰＬＬ回路２５４は、各フレームＦ毎に周波数を変化させなければならない。従って、隣り合った各フレームＦの間に、ホッピングスロットＨを設けることによって周波数移行時間を確保し、アップコンバータ２５２またはＰＬＬ回路２５４の発振周波数を安定化させている。
【００５７】
また、ヘッダＳ１には、当該伝送データＤを受信するビューア３００のＩＤ、送信装置２００とビューア３００を同期させるための同期信号、当該フレームＦが属しているページのページ番号を示すページ情報、当該フレームＦが属しているブロックを示すブロック情報および各種制御情報が記録されている。ここで、制御情報は、当該フレームＦがページ指定送信モードによって伝送するか否かを示す情報、当該フレームＦが属するページに記録された文字または画像の内容が変更されたか否かを示す情報、当該フレームＦが属するページの表示形式を示す情報、当該フレームＦの文書データエリアＳ３に記録されたデータがテキストデータかグラフィックデータかを示す情報、当該フレームＦが属するページのページサイズを示す情報等である。
【００５８】
さらに、文書データエリアＳ２には、文字または画像を示すテキストデータまたはグラフィックデータが記録されている。なお、ビューア３００の受信制御部３３０が、逆拡散された伝送データＤから文書情報を抽出して表示制御部３４０の記憶回路３４１に記録するときには、伝送データＤの文書データエリアＳ２に記録されたデータを抜き出して、記憶回路３４１に記憶する。
【００５９】
（３）文書情報送信処理
次に、送信装置２００の送信制御部２４０により実行される文書情報送信処理について、図８のフローチャートに沿って説明する。
【００６０】
送信者が、送信装置２００のパーソナルコンピュータ２１０によって生成された文書情報を送信すべくパーソナルコンピュータ２１０を操作すると、パーソナルコンピュータ２１０により生成された文書情報は、パーソナルコンピュータ２１０から送信制御部２４０に出力される。このとき、送信制御部２４０は、送信制御部２４０の記憶回路に記憶された送信プログラムを起動する。これにより、以下に述べる文書情報送信処理がスタートする。
【００６１】
即ち、ステップ１では、今まで電源がオフの状態だった送信部２５０に電源が供給され、送信部２５０がオンされる。
【００６２】
ステップ２では、パーソナルコンピュータ２１０から出力された制御情報を読み取り、「ページ指定送信モード」か、「全ページ送信モード」かを判定する。
【００６３】
ここで、「ページ指定送信モード」とは、送信装置２００側で送信すべき文書情報のページ番号を指定し、指定した1ページ分の文書情報を送信するモードである。このモードの場合、文書情報が複数ページに亘る場合でも、送信装置２００からは、指定した１ページ分の文書情報のみが送信される。一方、「全ページ送信モード」とは、ページ指定は行わず、複数ページに亘る文書情報の全ページを送信するモードである。
【００６４】
また、パーソナルコンピュータ２１０からは、文書情報の他に、文書情報を制御するための制御情報が出力される。制御情報は、文書情報を送信するビューア３００のＩＤ、文書情報のページに関する情報、文書情報をページ指定送信モードで伝送するか否かを示す情報、文書情報の各ページの表示形式を示す情報、文書情報がテキストデータかグラフィックデータかを示す情報、文書情報のページサイズを示す情報等である。ステップ２では、パーソナルコンピュータ２１０から出力される前記制御情報に基づいて、これから送信しようとする文書情報をページ指定送信モードで送信するのか否かを判定する。その結果、文書情報をページ指定送信モードで送信するときには、ステップ３に移行する。
【００６５】
ステップ３では、文書情報が複数ページに亘る場合に、その複数ページの文書情報の中から、これから送信しようとするページ番号を設定する。即ち、文書情報をページ指定送信モードで送信する場合には、送信者が、パーソナルコンピュータ２１０を操作して、これから送信しようとする文書情報のページ番号を設定する。そして、このページ番号は、制御信号として、パーソナルコンピュータ２１０から送信制御部２４０に出力される。ステップ３では、この制御情報に基づいて、これから送信しようとするページ番号を認識する。
【００６６】
ステップ４では、ステップ３で設定したページ番号に対応する１ページ分の文書情報を、複数のブロックａ（図１３および図１５参照）に分割すると共に、上述したような伝送データＤ（図7参照）に変換する。このとき、伝送データＤを構成する各フレームＦのヘッダＳ１は、パーソナルコンピュータ２１０から出力される制御情報等に基づいて生成される。そして、ステップ４で変換された伝送データＤは、送信部２５０により変調、拡散され、送信アンテナ２３０からビューア３００に向けてブロック単位に送信される。
【００６７】
ステップ５では、ステップ３で設定したページ番号に対応する１ページ分の文書情報（伝送データＤ）の送信が終了したか否かを判定し、その結果、１ページ分の文書情報の送信が終了していないときには、ステップ４に戻り、ステップ４およびステップ５を、１ページ分の文書情報の送信が終了するまで繰り返す。
【００６８】
ステップ６では、当該文書情報送信処理を終了するか否かを判定する。例えば、ビューアシステム１００を停止するときや、送信装置２００から送信される文書情報を受信するすべてのビューア３００がホールド状態になったときには、送信装置２００による文書情報送信処理を終了する。この場合、送信者は、パーソナルコンピュータ２１０を操作して、送信装置２００による文書情報送信処理を終了する旨の指令を入力する。これにより、この指令が、制御情報として、パーソナルコンピュータ２１０から送信制御部２４０に送信される。そこで、ステップ６では、この制御情報に基づいて送信装置２００による文書情報送信処理を終了するか否かを判定する。
【００６９】
そして、ステップ６の判定の結果、文書情報送信処理を終了するときには、ステップ１１に移行し、ステップ１１で送信部２５０の電源をオフにする。一方、ステップ６の判定の結果、文書情報送信処理を終了しないときには、ステップ７に移行する。
【００７０】
ステップ７では、送信すべき文書情報のページが変更されたか否かを判定する。即ち、送信者がパーソナルコンピュータ２１０を操作して、送信すべき文書情報のページを変更する旨の指令を入力したときには、その指令が、制御信号として、パーソナルコンピュータ２１０から送信制御部２４０に出力される。そこで、ステップ７では、この制御信号に基づいて、送信すべき文書情報のページが変更されたか否かを判定する。
【００７１】
そして、ステップ７の判定の結果、送信すべき文書情報のページが変更されたときには、ステップ３に移行し、ステップ３〜ステップ５で、新たなページ番号を設定し、その新たなページ番号に対応する１ページ分の文書情報を送信する。
【００７２】
一方、ステップ７の判定の結果、送信すべき文書情報のページが変更されていないときには、ステップ４に移行し、ステップ４およびステップ５の処理により、同一ページの文書情報を繰り返し送信する。
【００７３】
一方、前述したステップ２の判定の結果、ページ指定送信モードでないとき、即ち、全ページ送信モードのときには、ステップ８に移行する。
【００７４】
ステップ８では、複数ページに亘る文書情報の全ページを送信する。即ち、複数ページに亘る文書情報を複数のブロックａに分割すると共に、伝送データＤに変換し、送信部２５０に出力する。これにより、伝送データＤは、送信部２５０により、変調、拡散され、送信アンテナ２３０からビューア３００に向けてブロック単位に送信される。このとき、各ブロックの送信順番は、送信順序制御処理によって制御される。なお、送信順序制御処理については後述する。
【００７５】
ステップ９では、複数ページに亘る文書情報を全ページ送信したか否かを判定する。その結果、文書情報を全ページ送信していないときには、ステップ８に戻り、文書情報を全ページ送信するまで、ステップ８およびステップ９を繰り返す。一方、文書情報を全ページ送信したときには、ステップ１０に移行し、前述したステップ６と同様に、当該文書情報送信処理を終了するか否かを判定する。
【００７６】
そして、ステップ１０の判定の結果、文書情報送信処理を終了しないときには、ステップ８に戻り、複数ページに亘る文書情報を繰り返し送信する。一方、文書情報送信処理を終了するときには、ステップ１１で送信部２５０の電源をオフにし、文書情報送信処理を終了する。
【００７７】
このように、文書情報送信処理によれば、ページ指定送信モードの場合には、送信装置２００は、送信者が当該文書情報送信処理を終了する旨の指令をパーソナルコンピュータ２１０に入力しない限り、１ページ分の文書情報をビューア３００に向けて繰り返し送信し続ける。特に、送信すべき文書情報のページ番号が変更されない場合には、送信装置２００は、同一ページの文書情報をビューア３００に向けて繰り返し送信し続ける。
【００７８】
一方、全ページ送信モードの場合には、送信装置２００は、送信者が当該文書情報送信処理を終了する旨の指令をパーソナルコンピュータ２１０に入力しない限り、複数ページに亘る文書情報の全ページをビューア３００に向けて繰り返し送信し続ける。
【００７９】
（４）文書情報受信処理
次に、ビューア３００の受信制御部３３０により実行される文書情報受信処理について、図９ないし図１１のフローチャートに沿って説明する。
【００８０】
受信者が、送信装置２００から伝送される文書情報を得るべくビューア３００を始動すると、受信制御部３３０の電源がオンとなり、受信制御部３３０の記憶回路に記憶された受信プログラムが起動する。これにより、以下に述べる文書情報受信処理がスタートする。
【００８１】
即ち、図９中のステップ２１では、今まで電源がオフの状態だった受信部３２０に電源が供給され、受信部３２０がオンされる。これにより、受信部３２０は、送信装置２００から送信された拡散信号を受け取る。このとき、受信制御部３３０は、受信部３２０により受け取った拡散信号に基づいて、同期捕捉を行い、送信装置２００との間の同期を確立する。その後、受信部３２０は、受信した拡散信号を逆拡散および復調し、元の伝送データＤを復元する。そして、この伝送データＤを、受信制御部３３０に入力する。
【００８２】
ステップ２２では、伝送データＤを構成する各フレームＦのヘッダＳ１の内容を調べ、文書情報（伝送データＤ）が「ページ指定送信モード」で送信されたか、「全ページ送信モード」で送信されたかを判定する。そして、ステップ２２の判定の結果、文書情報が「ページ指定送信モード」で送信された場合には、図１０中のステップ２３に移行する。
【００８３】
図１０中のステップ２３では、送信装置２００から送信された文書情報を１ブロック分受信する。正確に述べると、受信部３２０により、送信装置２００から送信される拡散信号に基づいて伝送データＤを復元し、受信制御部３３０により、この伝送データＤを構成する各フレームＦの文書データエリアＳ２に記録された文書情報を１ブロック分抽出する。
【００８４】
ステップ２４では、ステップ２３で受信した１ブロック分の文書情報にエラーがあるか否か判定する。そして、ステップ２４の判定の結果、エラーがないときには、ステップ２５で、この１ブロック分の文書情報を表示制御部３４０の記憶回路３４１に書き込む。記憶回路３４１に文書情報が書き込まれると、この書き込まれた文書情報が表示部３５０に表示される。
【００８５】
一方、ステップ２４の判定の結果、エラーがあるときには、ステップ２６で、この１ブロック分の文書情報を記憶回路３４１に書き込まず、破棄する。これにより、記憶回路３４１には、未書込みの領域が形成される。この場合、表示部３５０には、図１３または図１５に示すように、空白ｂが表示される。
【００８６】
ここで、図１３ないし図１５は、それぞれ、すべてのブロックを正常に受信できたときの１ページ分の文書情報Ｎ１（左側）と、受信中にエラーが生じ、ブロックを部分的に受信できなかったときの１ページ分の文書情報Ｎ１’（右側）を示している。そして、図１３および図１４は文書情報がテキストデータのときを示し、図１５は文書情報がグラフィックデータのときを示している。
【００８７】
即ち、受信中にエラーが生じ、テキストデータからなる文書情報の１ブロック分を受信できなかったときには、図１３に示すように、受信できなかった１ブロック分が空白ｂになる。ここで、上述したように、送信装置２００により、テキストデータからなる文書情報を送信するとき、文書情報は、１ブロックａを構成する文字数が、文書情報の各ページの１行分の文字数よりも少ない数となるように分割される。これにより、受信エラーにより、文書情報中に１ブロック分の空白ｂが形成されても、その空白ｂの領域は小さく、文書情報の１行以内に収まる。従って、受信エラーが生じても、受信者は、文書情報の１ページ全体を見れば、その文書情報の内容を理解することができる。
【００８８】
また、記憶回路３４１に前回書き込まれた文書情報がある場合には、図１４に示すように、その前回書き込まれた文書情報（以下、これを「前回情報ｃ」という）が書き換えられずに残る。この場合、表示部３５０には前回情報ｃが表示される。なお、このとき、前回情報ｃを表示するだけでなく、この前回情報ｃの色やフォントを変更したり、この前回情報ｃに下線を付したりしてエラーの発生を受信者に報知するようにしてもよい。
【００８９】
さらに、受信中にエラーが生じ、グラフィックデータからなる文書情報の１ブロック分を受信できなかったときには、図１５に示すように、受信できなかった１ブロック分が空白ｂになる。ここで、上述したように、送信装置２００により、グラフィックデータからなる文書情報を送信するときには、文書情報は、１ブロックを構成するビットマップデータのビット数が、前記ページの１ライン（線素）を構成するビットマップデータのビット数の整数倍となるように分割される。これにより、受信エラーにより、文書情報中に１ブロック分の空白ｂが形成されても、その空白ｂの領域は小さく、文書情報に細い空白の筋が形成される程度である。従って、受信エラーが生じても、受信者は、文書情報の１ページ全体を見れば、その文書情報の内容を理解することができる。
【００９０】
さて、図１０中のステップ２７では、１ページ分の文書情報をすべて受信したか否かを判定する。その結果、１ページ分の文書情報をすべて受信していないときには、ステップ２３に戻り、１ページ分の文書情報をすべて受信するまで、ステップ２３〜ステップ２７の処理を繰り返す。
【００９１】
続いて、ステップ２８では、ステップ２３〜ステップ２７の処理により、送信装置２００から送信された１ページ分の文書情報が、表示制御部３４０の記憶回路３４１に完全に書き込まれたか否かを判定する。即ち、ステップ２３〜ステップ２７の処理により、１ページ分の文書情報を受信する間に、全くエラーがなければ、受信した文書情報が記憶回路３４１に完全に書き込まれる。ところが、１ページ分の文書情報を受信する間に、エラーがあった場合には、記憶回路３４１中に書き込まれない部分が生じる。そこで、ステップ２８では、１ページ分の文書情報が記憶回路３４１に完全に書き込まれたか否かを調べ、記憶回路３４１中に書き込まれない部分があるときには、受信中にエラーがあったと判定し、ステップ２３に戻り、ステップ２３〜ステップ２７の処理を繰り返し実行する。
【００９２】
ここで、送信装置２００は、１ページ分の文書情報を繰り返し送信している。このため、ビューア３００が１ページ分の文書情報を受信する間に、エラーがあった場合には、この文書情報を再度受信することができる。
【００９３】
一方、送信装置２００から繰り返し送信されている１ページ分の文書情報をビューア３００が完全に受信し、表示制御部３４０の記憶回路３４１が完全に書き込まれたときには、ステップ２８で「ＹＥＳ」と判定され、ステップ２９に移行する。このとき、記憶回路３４１には１ページ分の文書情報が完全に書き込まれたため、表示部３５０には、この１ページ分の文書情報が完全に、かつ正確に表示されている。即ち、初回の受信中にエラーが生じ、図１３ないし図１５の各図中の右側に示す文書情報Ｎ１のように空白ｂ等が形成されても、ステップ２３〜ステップ２７の処理を繰り返し実行し、同一内容の文書情報を複数回受信することにより、エラーを解消でき、図１３ないし図１５中の左側に示すように、１ページ分の文書情報を完全に表示することができる。
【００９４】
ステップ２９では、受信部３２０の復調器３２１、ダウンコンバータ３２２および低雑音増幅器３２３の電源をオフにし、いわゆるスリープ状態にする。これにより、消費電力を削減することができる。なお、スリープ状態中でも、ＰＬＬ回路３２４の電源はオンにしておく。これにより、ＰＬＬ回路３２４の発振周波数を安定させることができ、スリープ状態を解除したときに、同期捕捉が容易となる。
【００９５】
ステップ３０では、ビューア３００をホールドさせるか、または当該文書情報受信処理を終了させるか否かを判定する。ここで、「ホールド」とは、受信した文書情報を表示部３５０に表示させた状態で、受信部３２０、受信制御部３３０等の電源をオフにするものである。ホールドを指定するには、ビューア３００の入力部３６０を操作する。ビューア３００をホールドすると、表示部３５０の表示を固定させることができると共に、消費電力を最小限に抑えることができる。ビューア３００をホールドさせるか、または当該文書情報受信処理を終了させるときには、図１１中のステップ４９に移行する。
【００９６】
ステップ３１では、ステップ２９でビューア３００がスリープ状態となってから、所定時間が経過したか否かを判定し、所定時間経過していないときにはステップ２９に戻り、スリープ状態を維持する。一方、所定時間経過したときには、ステップ３２で、ビューア３００をウェイクさせる。即ち、受信部３２０の復調器３２１、ダウンコンバータ３２２および低雑音増幅器３２３の電源をオンにする。そして、ステップ３３で、送信装置２００から送信される文書情報を受信する。
【００９７】
ステップ３４では、送信装置２００から送信された文書情報のページ番号が変更されたか、または、送信装置２００から送信された文書情報の内容が変更されたか否かを判定する。その結果、送信装置２００から送信された文書情報のページ番号または内容が変更されたときには、ステップ２３に戻り、変更された新たな１ページ分の文書情報を受信し、表示部３５０に表示する。一方、ステップ３４の判定の結果、送信装置２００から送信された文書情報のページ番号または内容が変更されていないときには、ステップ２９に戻る。これにより、ビューア３００は、再びスリープ状態になる。なお、送信装置２００から送信された文書情報の内容が変更されたか否かは、伝送データＤを構成する各フレームＦのヘッダＳ１に記録されているため、これらヘッダＳ１の内容を調べることにより、認識することができる。
【００９８】
このように、ステップ２９〜ステップ３４の処理により、ビューア３００は、所定時間毎に定期的にウェイクし、ビューア３００の表示部３５０に表示された文書情報に変更がある場合にのみ、文書情報の受信を行い、それ以外のときは、主にスリープ状態となる。
【００９９】
一方、図９中のステップ２２の判定の結果、送信装置２００から、文書情報が「全ページ送信モード」で送信された場合には、ステップ３５に移行する。
【０１００】
ステップ３５では、ビューア３００の入力部３６０により受信ページを設定する。即ち、受信者は、ビューア３００のビューアボディ３０１に設けられたスイッチを操作し、ビューア３００に表示すべき文書情報のページ番号を設定する。
【０１０１】
ステップ３６では、ステップ３５で設定したページ番号の文書情報を受信する。ここで、送信装置２００は、全ページ送信モードで文書情報を送信している。即ち、送信装置２００は、複数ページに亘る文書情報の全ページを繰り返し送信している。従って、ビューア３００は、送信装置２００から送信される文書情報のページ番号を認識し、ステップ３５で設定したページ番号と一致したときにのみ、その文書情報を受信する。正確に述べると、受信制御部３３０は、受信部３２０から１ブロック分の伝送データＤを受け取り、この１ブロック分の伝送データＤに含まれる各フレームＦのヘッダＳ１を調べ、当該各フレームＦが属するページのページ番号を認識する。そして、認識したページ番号と、受信者が入力部３６０により入力したページ番号とが一致したときに、当該各フレームＦの文書データエリアＳ２に記録された文書情報を１ブロック分抽出する。
【０１０２】
ステップ３７では、ステップ３６で受信した１ブロック分の文書情報にエラーがあるか否か判定し、その結果、エラーがないときには、ステップ３８で、この受信した１ブロック分の文書情報を表示制御部３４０の記憶回路３４１に書き込む。これにより、この受信した１ブロック分の文書情報が表示部３５０に表示される。一方、ステップ３７の判定の結果、１ブロック分の文書情報の受信にエラーがあるときには、ステップ３９で、この文書情報を記憶回路３４１に書き込まず、破棄する。これにより、記憶回路３４１には、未書込みの領域が形成されるため、表示部３５０には空白が表示されるか、前回か書き込まれた文書情報（前回情報）が表示される。
【０１０３】
ステップ４０では、受信者がビューア３００の入力部３６０を操作してビューア３００に表示すべき文書情報のページ番号を変更したか否かを判定する。そして、ステップ４０の判定の結果、受信者がページ番号を変更したときには、ステップ３５に戻って受信をやり直し、変更していないときには、ステップ４１に移行する。
【０１０４】
ステップ４１では、送信装置２００から送信されている複数ページの文書情報のうち、ステップ３５で設定した１ページ分の文書情報の受信が完了したか否かを判定する。なお、受信途中で文書情報の内容が変更された場合には、変更された文書情報の受信が完了したか否かを判定する。ここで、送信装置２００から送信された文書情報の内容が変更されたか否かは、伝送データＤを構成する各フレームＦのヘッダＳ１の内容を調べることにより認識することができる。そして、ステップ４１の判定の結果、１ページ分の文書情報の受信が完了していないときには、ステップ３６に戻り、１ページ分の文書情報の受信が完了するまで、ステップ３６〜ステップ４１の処理を繰り返し、１ページ分の文書情報を記憶回路３４１に書き込む。
【０１０５】
ステップ４２では、前述したステップ２８とほぼ同様に、表示制御部３４０の記憶回路３４１に１ページ分の文書情報が完全に書き込まれた否かを判定する。そして、ステップ４２の判定の結果、記憶回路３４１に１ページ分の文書情報が完全に書き込まれていないときには、この１ページ分の文書情報の受信中にエラーがあったことを意味する。このため、ステップ３６に移行し、再度、ステップ３５で指定した１ページ分の文書情報を受信する。
【０１０６】
ここで、送信装置２００は、複数ページに亘る文書情報を全ページ繰り返し送信している。このため、ビューア３００が指定した１ページ分の文書情報を受信する間に、エラーがあった場合には、この指定した１ページ分の文書情報を再度受信することができる。
【０１０７】
一方、送信装置２００から繰り返し送信されている１ページ分の文書情報をビューア３００が完全に受信し、この文書情報の１ページ分が表示制御部３４０の記憶回路３４１に完全に書き込まれたときには、ステップ４２で「ＹＥＳ」と判定し、ステップ４３に移行する。このとき、記憶回路３４１には１ページ分の文書情報が完全に書き込まれたため、表示部３５０には、この１ページ分の文書情報が完全に表示されている。
【０１０８】
ステップ４３では、前述したステップ２９と同様に、受信部３２０の復調器３２１、ダウンコンバータ３２２および低雑音増幅器３２３の電源をオフにし、ビューア３００をいわゆるスリープ状態にする。ステップ４４では、ビューア３００をホールドさせるか、または終了させるか否かを判定する。
【０１０９】
ステップ４５では、スリープ状態中に、受信者がビューア３００の入力部３６０を操作し、ビューア３００に表示すべき文書情報のページ番号を変更したか否かを判定する。その結果、ページ変更があったときには、スリープを解除してステップ３５に移行し、新たなページの文書情報を受信し、表示部３５０に表示する。
【０１１０】
ステップ４６では、ステップ４３でビューア３００がスリープ状態となってから、所定時間が経過したか否かを判定し、所定時間経過していないときには、ステップ４３に戻り、スリープ状態を維持する。一方、所定時間経過したときには、ステップ４７で、ビューア３００をウェイクさせる。
【０１１１】
ステップ４８では、送信装置２００から送信された文書情報のページ番号が変更されたか、送信装置２００から送信された文書情報の内容が変更されたか否か、または、受信者がビューア３００の入力部３６０を操作してビューア３００に表示すべき文書情報のページ番号を変更したか否かを判定する。その結果、文書情報のページ番号または内容が変更されたときには、ステップ３５に戻り、変更された新たな１ページ分の文書情報を受信し、表示部３５０に表示する。一方、ステップ４８の判定の結果、文書情報のページ番号または内容が変更されていないときには、ステップ４３に戻る。これにより、ビューア３００は、再びスリープ状態になる。
【０１１２】
このように、ステップ４３〜ステップ４８の処理により、ビューア３００は、所定時間毎に定期的にウェイクし、ビューア３００の表示部３５０に表示された文書情報に変更がある場合にのみ、文書情報の受信を行い、それ以外のときは、スリープ状態となる。
【０１１３】
一方、ステップ３０またはステップ４４の判定の結果、ビューア３００をホールドさせるか、または文書情報受信処理終了させるときには、図１１中のステップ４９に移行し、受信部３２０の電源をオフにする。そして、文書情報受信処理を終了するときには、ステップ５０で「ＹＥＳ」と判定され、当該文書情報受信処理は終了する。一方、ビューア３００のホールドを解除するときには、ステップ５１で「ＹＥＳ」と判定され、図９中のステップ２１に移行する。これにより、ビューア３００は、送信装置２００から送信される文書情報を再度受信する。
【０１１４】
（５）送信順序制御処理
次に、送信装置２００により文書情報を各ブロック単位で送信するときに、それら各ブロックの送信順序を制御する送信順序制御処理について図１６および図１７に従って説明する。
【０１１５】
上述したように、送信装置２００の送信制御部２４０によって実行される文書情報送信処理では、文書情報をブロックに分割し、各ブロック単位で、文書情報を変調し、拡散して送信する（図８中のステップ４またはステップ８）。このとき、各ブロックを送信する順序は、送信制御部２４０によって実行される送信順序制御処理により制御される。
【０１１６】
この送信順序制御処理によれば、各ブロックの送信の順序には、３通りのパターンがある。
【０１１７】
まず、第１パターンは、図１６に示すように、文書情報の各ブロックを、その文書情報の先頭から末尾にかけて、そのまま順番に送信するものである。従って、第１のパターンでは、例えば、まず、第１ページの文書情報Ｎ１が１ページ分連続して送信され、次に、第２ページの文書情報Ｎ２が１ページ分連続して送信され、最後に、第３ページ目の文書情報Ｎ３が１ページ分連続して送信される。
【０１１８】
次に、第２パターンは、図１７に示すように、１ブロック送信する毎に、前回送信したブロックが属するページと異なるページに属するブロックを送信するように、各ブロックの送信順序を制御するものである。従って、第２のパターンでは、例えば、まず、第１ページ目の文書情報Ｎ１の先頭の第１ブロックが送信され、次に、第２ページ目の文書情報Ｎ２の先頭の第１ブロックが送信され、続いて、第３ページ目の文書情報Ｎ３の先頭の第１ブロックが送信され、次に、第１ページ目の文書情報Ｎ１の第２ブロックが送信される。このように、１ブロック送信する度に、ページが変更されるため、実質的には、各ページの文書情報がほぼ同時に送信されるようになる。従って、複数ページに亘る文書情報を、この第２パターンで送信すると、ビューア３００において、複数ページのうち、どのページを受信すべきページに設定しても、その設定したページの文書情報を素早く受信することができる。
【０１１９】
次に、第３のパターンは、送信装置２００からビューア３００に向けて、文書情報の送信を開始してから所定時間を経過するまでは、前記第１パターンで送信し、所定時間経過後は、前記第２のパターンで送信するものである。
【０１２０】
かくして、本実施形態によるビューアシステム１００によれば、送信装置２００により文字または画像がページ単位に記録された文書情報を送信し、ビューア３００により、送信装置２００から送信された文書情報を１ページ分受信する構成としたから、送信者は文書情報を簡単に送信することができ、受信者は、送信された文書情報をページ単位で簡単に確認することができる。
【０１２１】
従って、例えば、会議等にこのビューアシステム１００を用いた場合には、会議内容を印刷した用紙をなくすことができる。これにより、会議の担当者は会議資料を印刷し、各参加者に仕分けする手間が省け、会議の効率を向上させることができる。
【０１２２】
また、ビューア３００を通常縮尺の文書情報の１ページ分を一度に表示することができる表示部３５０を設ける構成としたから、文書情報を用紙に印刷した場合と同様の縮尺およびレイアウトで、文書情報を見やすく表示することができる。従って、受信者は、文書情報を印刷した用紙を見るのと同じ感覚で、文書情報を見ることができ、文書情報の内容を正確かつ素早く理解することができる。
【０１２３】
また、本実施形態によるビューアシステム１００によれば、送信装置２００により、ページ指定送信モードのときには、１ページ分の文書情報を繰り返し送信し、全ページ送信モードのときには、複数ページに亘る文書情報の全ページを繰り返し送信する構成としたから、ビューア３００が、送信装置２００から送信される文書情報を受信するときに、エラーが生じても、繰り返し送信されている文書情報を再度受信するだけで、エラーを解消し、１ページ分の文書情報を完全に受信することができる。特に、ビューアシステム１００は、周波数ホッピング方式で文書情報を送受信しているため、送信装置２００から送信される文書情報は、ほぼランダムに周波数パターン（ホッピングパターン）が変化する搬送波によって送信される。このため、送信装置２００から１回目に送信された文書情報と、２回目に送信された文書情報とでは、異なる周波数パターンで送信される。従って、一部の周波数帯域の受信状態が悪く、１回目の受信で文書情報の１部にエラーが生じたとしても、２回目の受信によって、そのエラーを解消することができる。なぜなら、２回目の受信のときには、エラーが生じた部分の文書情報が１回目と異なる周波数帯域の搬送波によって送信されるからである。
【０１２４】
さらに、本実施形態によるビューアシステム１００によれば、ビューア３００を、送信装置２００から送信される文書情報のうち、１ページ分の文書情報のみを受信して表示部３５０に表示する構成としたから、ビューア３００の機能を大幅に簡単化することができ、ビューア３００を安価なものとすることができる。
【０１２５】
特に、ビューア３００の表示制御部３４０に、通常縮尺の文書情報１ページ分を記憶するのに必要最低限の記憶容量を有する記憶回路３４１を設ける構成としたから、ビューア３００をより安価に製造することができる。
【０１２６】
また、ビューア３００は、１ページ分の文書情報の受信を完了した後は、スリープ状態になる。そして、ビューア３００は、所定時間毎に定期的にウェイクし、表示部３５０に表示された文書情報に変更がある場合にのみ、文書情報の受信を行う。これにより、ビューア３００の消費電力を削減することができる。
【０１２７】
さらに、ビューア３００は、表示部３５０に表示された文書情報をホールドすることができる。これにより、表示部３５０に表示された文書情報を固定することができる。従って、例えば、複数のビューア３００のそれぞれに異なるページの文書情報を受信させてから、各ビューア３００をホールドさせれば、各ビューア３００によって複数ページに亘る文書情報を一度に表示させることができる。
【０１２８】
一方、本実施形態によるビューアシステム１００によれば、文書情報がテキストデータの場合には、送信装置２００により文書情報を送信するときに、１ブロックａを構成する文字数が、文書情報の各ページの１行分の文字数よりも少ない数となるように分割し、また、文書情報がグラフィックデータ（ビットマップデータ）の場合には、１ブロックを構成するビットマップデータのビット数が、前記ページの１ライン（線素）を構成するビットマップデータのビット数の整数倍となるように分割する構成とした。これにより、ビューア３００で文書情報の受信中にエラーが生じ、文書情報中に、１ブロック分の空白ｂ等が一時的に形成されても、その空白ｂの領域は小さい。従って、受信者は、文書情報全体を見ることにより、文書情報の内容を容易に把握することができ、受信エラーの影響を少なくすることができる。
【０１２９】
なお、前記実施形態において、送信装置２００の送信制御部２４０によって実行される文書情報送信処理（図８参照）が送信手段の具体例である。また、ビューア３００の受信制御部３３０によって実行される文書情報受信処理（図９ないし図１１参照）のステップ３５が指定手段の具体例であり、ステップ２３、ステップ３６が受信手段の具体例である。さらに、文書情報受信処理のステップ２５、ステップ３８が表示手段の具体例である。
【０１３０】
また、前記実施形態において、ビューア３００の受信制御部３３０によって実行される文書情報受信処理のステップ２８、ステップ４２が受信判定手段および再受信手段の具体例であり、ステップ２９、ステップ４３が電源供給停止手段の具体例である。さらに、ステップ３２、ステップ４７が電源供給再開手段の具体例であり、ステップ３４、ステップ４８が表示更新手段の具体例である。
【０１３１】
また、前記実施形態では、送信装置２００の送信制御部２４０にホッピングテーブル２４１を設け、このホッピングテーブル２４１を用いて周波数拡散を行う場合を例に挙げたが、本発明はこれに限らず、ホッピングテーブル２４１に代えて、Ｍ系列符号等のＰＮ符号や拡散ＲＳ符号を生成する拡散符号生成回路を設けてもよい。また、ビューア３００に設けられたホッピングテーブル３３１に代えて、前記拡散符号生成回路を設けてもよい。なお、前記拡散符号生成回路は、例えば、シフトレジスタ、タップレジスタおよび加算器等から構成される。
【０１３２】
また、前記実施形態では、送信制御部２４０によって文書情報送信処理を実行するものとして述べたが、本発明はこれに限らず、パーソナルコンピュータ２１０で文書情報送信処理を実行してもよい。この場合には、文書情報送信処理を実行するための送信プログラムをパーソナルコンピュータ２１０に記憶させる。
【０１３３】
また、前記実施形態では、周波数ホッピング方式を用いて文書情報の送受信を行うものとして述べたが、本発明はこれに限らず、直接拡散方式、その他の伝送方式を用いてもよい。
【０１３４】
さらに、前記実施形態では、ビューア３００を、１ページ分の文書情報を一度に表示する構成としたが、本発明はこれに限らず、２〜４ページ程度の文書情報を一度に表示できる構成としてもよい。この場合には、送信装置２００は、ページ指定送信モードのときには、２〜４ページ程度の文書情報を繰り返し送信する。また、文書情報が全ページ送信モードにより送信されたときには、ビューア３００は、約２〜４通りのページ番号を指定する。
【０１３５】
また、前記実施形態では、ビューア３００を、例えばＡ４サイズ程度の表示部３５０を有するものとして述べたが、本発明はこれに限らず、Ｂ５またはＡ６サイズに小型化してもよく、また、Ａ１サイズ程度に大型化してもよい。さらに、ビューア３００を壁掛けタイプにしてもよい。このとき、本発明でいう１ページとは、印刷時の１ページと等しい必要はなく、ビューアの表示サイズに応じて、１ページ分の情報量は選択される。また、１ページ分の情報量をビューア表示量よりも若干小さくし、１ページ全体と、その前後のページの一部を同時に表示させてもよい。これにより、ページ全体の内容の把握が容易となる。
【０１３６】
【発明の効果】
以上詳述したとおり、請求項１の発明によれば、文書情報伝送システムを、複数のページからなる文書情報を繰り返し送信する送信装置と、送信装置の送信手段により送信される文書情報のうち、少なくとも１ページ分の文書情報を受信して表示する受信装置とから構成したから、パーソナルコンピュータ等により作成した文書情報を任意の相手に直接伝送することができる。従って、文書情報を印刷し、編集し、仕分けする作業をなくすことができ、文書情報を伝達する作業効率を向上させることができる。
【０１３７】
また、送信装置は、文書情報を繰り返し送信するため、受信装置は、何度も文書情報を受信することができる。従って、送受信中にエラーが生じたときには、受信装置は、送信装置から繰り返し送信される文書情報を再度受信することにより、そのエラーを容易に解消することができる。
【０１３８】
さらに、送信装置の送信手段において、複数のページからなる文書情報の各ページを複数のブロックに分割し、当該文書情報を前記ブロック単位で送信する構成としたから、送受信中に生じるエラー等をブロック単位で訂正することができ、文書情報の伝送を効率よく、かつ、正確に行うことができる。
【０１３９】
請求項２の発明によれば、送信装置の送信手段によって、１ブロック送信する毎に、前回送信したブロックが属するページと異なるページに属するブロックを送信するように、各ブロックの送信順序を制御する構成としたから、複数ページからなる文書情報の各ページを均等に送信でき、各ページに記録された文字または画像を実質的に同時に送信することができる。従って、受信者は、受信装置によって、複数ページに亘る文書情報のうち、後半のページを指定した場合でも、前半のページを指定した場合と同様に、当該ページの文書情報を素早く取得することができる。
【０１４０】
請求項３の発明によれば、前記受信装置において、前記受信手段により受信した少なくとも１ページ分の文書情報中に、正常に受信できなかったブロックがあるか否かを判定する受信判定手段と、前記受信判定手段による判定の結果、少なくとも１ページ分の文書情報中に正常に受信できなかったブロックがあるときには、前記送信装置の送信手段により繰り返し送信されている複数のページからなる文書情報のうち、前記受信装置の指定手段により指定した少なくとも１ページ分の文書情報を再度受信する再受信手段とを備えたことにより、前回受信した１ページ分の文書情報と同一の文書情報を再度受信することができ、前回正常に受信できなかったブロックを再度受信することができる。従って、文書情報の送受信中にエラーが生じた場合でも、このエラーを容易に解消することができ、１ページ分の文書情報を確実に取得することができる。
【０１４１】
請求項４の発明によれば、文書情報伝送システムを、１ページ分の文書情報を繰り返し送信する送信装置と、送信装置の送信手段により送信された１ページ分の文書情報を受信して表示する受信装置とから構成したから、パーソナルコンピュータ等により作成した文書情報を任意の相手に直接伝送することができる。従って、文書情報を印刷し、編集し、仕分けする作業をなくすことができ、文書情報を伝達する作業効率を向上させることができる。
【０１４２】
また、送信装置は、文書情報を繰り返し送信するため、受信装置は、何度も文書情報を受信することができる。従って、送受信中にエラーが生じたときには、受信装置は、送信装置から繰り返し送信される文書情報を再度受信することにより、そのエラーを容易に解消することができる。
【０１４３】
さらに、送信装置の送信手段によって、少なくとも１ページ分の文書情報を複数のブロックに分割し、当該文書情報をブロック単位で送信する構成としたから、送受信中に生じるエラー等をブロック単位で訂正することができ、文書情報の伝送を効率よく、かつ、正確に行うことができる。
【０１４４】
請求項５の発明によれば、受信装置において、受信手段により受信した少なくとも１ページ分の文書情報中に、正常に受信できなかったブロックがあるか否かを判定する受信判定手段と、前記受信判定手段による判定の結果、少なくとも１ページ分の文書情報中に正常に受信できなかったブロックがあるときには、前記送信装置の送信手段により繰り返し送信されている少なくとも１ページ分の文書情報を再度受信する再受信手段とを備えたことにより、前回受信した１ページ分の文書情報と同一の文書情報を再度受信することができ、前回正常に受信できなかったブロックを再度受信することができる。従って、文書情報の送受信中にエラーが生じた場合でも、このエラーを容易に解消することができ、１ページ分の文書情報を確実に取得することができる。
【０１４５】
請求項６の発明によれば、送信装置の送信手段によって、文書情報が文字列によって構成されているときには、前記１ブロックを構成する文字数が、ページの1行分の文字数よりも少ない数となるように、文書情報を分割する構成としたから、送受信中に生じたエラーの影響を少なくすることができ、送信装置と受信装置との間に妨害がある場合でも、文書情報の内容を受信者に伝達することができる。
【０１４６】
請求項７の発明によれば、送信装置の送信手段によって、文書情報がビットマップデータによって構成されているときには、前記１ブロックを構成するビットマップデータのビット数が、ページの１ラインを構成するビットマップデータのビット数の整数倍となるように、前記文書情報を分割する構成としたから、送受信中に生じたエラーの影響を少なくすることができ、送信装置と受信装置との間に妨害がある場合でも、文書情報の内容を受信者に伝達することができる。
【０１４７】
請求項８の発明によれば、前記受信装置において、少なくとも１ページ分の文書情報を記憶するのに必要な最小限の記憶容量を有する記憶手段を備え、前記表示手段は、前記受信手段により受信した文書情報を前記記憶手段に記憶し、この記憶した文書情報を表示部に表示するようにしたから、受信装置の製造コストを低減させることができ、受信装置を安くすることができる。
【０１４８】
請求項９の発明によれば、受信装置において、受信手段により文書情報を受信した後に、前記受信手段への電源供給を停止する電源供給停止手段と、前記電源供給停止手段により前記受信手段への電源供給を停止してから所定時間毎に、前記受信手段への電源供給を行う電源供給再開手段と、前記電源供給再開手段により前記受信手段への電源供給が行われている間に、送信装置から送信される文書情報を受信し、この受信した文書情報が前回受信した文書情報と異なるときには、この受信した文書情報を前記表示部に表示する表示更新手段とを備えたから、受信装置の消費電力を削減することができる。
【０１４９】
請求項１０の発明によれば、文書情報送信装置を、複数のページからなる文書情報の各ページを複数のブロックに分割し、当該文書情報を前記ブロック単位で送信し、かつ、１ブロック送信する毎に、前回送信したブロックが属するページと異なるページに属するブロックを送信するように、各ブロックの送信順序を制御する構成としたから、送受信中に生じるエラー等をブロック単位で訂正することができ、文書情報の伝送を効率よく、かつ、正確に行うことができると共に、複数ページからなる文書情報の各ページを均等に送信でき、各ページに記録された文字または画像を実質的に同時に送信することができる。
【０１５０】
請求項１１の発明によれば、文書情報送信装置において、文書情報が文字列によって構成されているときには、前記１ブロックを構成する文字数が、前記ページの１行分の文字数よりも少ない数となるように、前記文書情報を分割する構成としたから、送受信時に生じるエラーによって文書情報が正常に送受信できないとき、そのエラーの影響を少なくすることができる。
【０１５１】
請求項１２の発明によれば、文書情報送信装置において、文書情報がビットマップデータによって構成されているときには、前記１ブロックを構成するビットマップデータのビット数が、前記ページの１行を構成するビットマップデータのビット数の整数倍となるように、前記文書情報を分割する構成としたから、前記文書情報を分割する構成としたから、送受信時に生じるエラーによって文書情報が正常に送受信できないとき、そのエラーの影響を少なくすることができる。
【図面の簡単な説明】
【図１】  本発明の実施形態によるビューアシステムを示す全体図である。
【図２】  本発明の実施形態による送信装置を示すブロック図である。
【図３】  本発明の実施形態による送信装置の送信制御部、送信部および送信アンテナを示すブロック図である。
【図４】  本発明の実施形態による送信装置に設けられたホッピングテーブルを示す説明図である。
【図５】  本発明の実施形態によるビューアを示すブロック図である。
【図６】  本発明の実施形態によるビューアの受信アンテナ、受信部および受信制御部を示すブロック図である。
【図７】  本発明の実施形態による伝送データの構成を示す説明図である。
【図８】  本発明の実施形態による文書情報送信処理を示すフローチャートである。
【図９】  本発明の実施形態による文書情報受信処理を示すフローチャートである。
【図１０】  図９に続く文書情報受信処理を示すフローチャートである。
【図１１】  図１０に続く文書情報受信処理を示すフローチャートである。
【図１２】  本発明の実施形態において、３ページに亘る文書情報を示す説明図である。
【図１３】  本発明の実施形態において、テキストデータで構成された１ページ分の文書情報を複数のブロックに分割した状態、および、一部受信することができなかったブロックを有する１ページ分の文書情報の一例を示す説明図である。
【図１４】  本発明の実施形態において、テキストデータで構成された１ページ分の文書情報を複数のブロックに分割した状態、および、一部受信することができなかったブロックを有する１ページ分の文書情報の他の例を示す説明図である。
【図１５】  本発明の実施形態において、グラフィックデータで構成された１ページ分の文書情報を複数のブロックに分割した状態、および、一部受信することができなかったブロックを有する１ページ分の文書情報の一例を示す説明図である。
【図１６】  本発明の実施形態において、文書情報の送信パターンの一例を示す説明図である。
【図１７】  本発明の実施形態において、文書情報の送信パターンの他の例を示す説明図である。
【符号の説明】
１００  ビューアシステム（文書情報伝送システム）
２００  送信装置
２１０  パーソナルコンピュータ
２３０  送信アンテナ
２４０  送信制御部
２５０  送信部
３００  ビューア（文書情報受信装置）
３１０  受信アンテナ
３２０  受信部
３３０  受信制御部
３４０  表示制御部
３４１  記憶回路
３５０  表示部
３６０  入力部
Ｎ１，Ｎ２，Ｎ３  文書情報
ａ  ブロック
【図１】
0003674257.tif 000002
【図２】
0003674257.tif 000003
【図３】
0003674257.tif 000004
【図４】
0003674257.tif 000005
【図５】
0003674257.tif 000006
【図６】
0003674257.tif 000007
【図７】
0003674257.tif 000008
【図８】
0003674257.tif 000009
【図９】
0003674257.tif 000010
【図１０】
0003674257.tif 000011
【図１１】
0003674257.tif 000012
【図１２】
0003674257.tif 000013
【図１３】
0003674257.tif 000014
【図１４】
0003674257.tif 000015
【図１５】
0003674257.tif 000016
【図１６】
0003674257.tif 000017
【図１７】
0003674257.tif 000018